(57)【要約】【課題】据付工事時、空気調和機本体の設置方法によっては十分な静圧が確保できないような短いダクトを接続される場合があり、その時空気調和機本体の吹出口の開口面積が一定のため希望の風速が確保できず部屋の空調がうまく出来ないという課題を有していた。【解決手段】空気調和機本体１の吹出口８側に接続されたダクト接続フランジ１１を自在に移動させることを可能にし、吹出口８の開口寸法を自由に変化させることで、空気調和機の据付工事において、色々な長さや形態の接続ダクトに合わせて吹出口の開口面積を変えることが可能となり、吹出口の開口面積を自由に変えることで一定した風速を確保することができ、快適な空気調和を行うことができる。【選択図】図１
2008249287.tif 000002
【特許請求の範囲】
【請求項１】
天井裏空間に埋め込み設置される空気調和機本体内部を仕切板にて、熱交換器が収納された熱交換室と、ファンケ−シング及び送風機が収納された送風室とに区画し、前記熱交換器室側に吹出口と、前記送風室側に吸込口と、前記吹出口及び前記吸込口にそれぞれ着脱可能なダクト接続フランジとを有し、前記吹出口側に接続されたダクト接続フランジは、上下の横桟と左右の縦桟にて構成され、前記吹出口の開口寸法を変化させることを特徴とする空気調和機の室内機。
【請求項２】
横桟が上下方向に自在に移動して前記吹出口の開口寸法を変化させることを特徴とする請求項１に記載の空気調和機の室内機。
【請求項３】
吹出口の開口部端面の左右側それぞれに案内溝を設け、前記案内溝の内側に挿入され、前記開口部の本体上方側に位置したところで、上下方向に自在に移動が可能な遮蔽板を有し、前記遮蔽板により前記開口部の開口寸法を変化させることを特徴とする請求項１に記載の空気調和機の室内機。
【請求項４】
吹出口の開口部端面の左右側それぞれに案内溝を設け、前記案内溝の内側に挿入され、前記開口部の本体下方側に位置したところで、上下方向に自在に移動が可能な遮蔽板を有し、前記遮蔽板により前記開口部の開口寸法を変化させることを特徴とする請求項１に記載の空気調和機の室内機。
【請求項５】
吹出口側に設けられたダクト接続フランジの上側の横桟に任意の位置で固定され、前記ダクト接続フランジ吹出側先端部を中心として回転可能な遮蔽板を設け、前記開口部の開口寸法を変化させることを特徴とする請求項１に記載の空気調和機の室内機。
【請求項６】
吹出口側に設けられたダクト接続フランジの下側の横桟に任意の位置で固定され、前記ダクト接続フランジ吹出側先端部を中心として回転可能な遮蔽板を設け、前記開口部の開口寸法を変化させることを特徴とする請求項１に記載の空気調和機の室内機。
【発明の詳細な説明】
【技術分野】
【０００１】
本発明は空気調和機の室内機に関するものである。
【背景技術】
【０００２】
従来、一般的に天井裏空間に埋め込み設置される空気調和機の吹出口にダクトを接続するためのダクト接続フランジの固定は前板にネジ等で動かないように固定される構成が一般的である（例えば、特許文献１参照）。
【０００３】
図１５は、特許文献１に記載された従来の空気調和機の室内機の断面図を示すものである。図１５に示すように、天井裏空間に埋め込み設置される空気調和機本体１内部を仕切板２にて、熱交換器３が収納された熱交換室４と、ファンケ−シング５及び送風機６が収納された送風室７とに区画し、熱交換器室４側に吹出口８と、送風室７側に吸込口９が設けられ、吹出口８及び吸込口９にはそれぞれ複数個のネジ１０で動かないように固定され、着脱可能なダクト接続フランジ１１を装備した箱体構成となっている。
【特許文献１】実開昭６２−１７９５１６号公報
【発明の開示】
【発明が解決しようとする課題】
【０００４】
しかしながら、前記従来の構成では、天井埋め込み設置される空気調和機は据付工事において、各部屋に分岐設置したり、空気調和機本体より遠い場所や部屋を空調するため長い接続ダクトがダクト接続フランジに接続されたりすることが一般的であり、そのため天井埋め込み設置される空気調和機は十分な内部静圧がとれるように設計されるのが一般的である。しかし、空気調和機の本体据付工事において、空気調和機本体に近い場所や部屋に設置され、十分な静圧が確保できないような短いダクトを接続される場合があり、その時吹出口の開口面積が一定のため希望の風速が確保できず、部屋の空調がうまく出来ないという課題を有していた。
【０００５】
本発明は、前記従来の課題を解決するもので、空気調和機本体の吹出口側に接続されたダクト接続フランジを自在に移動させたり、また空気調和機本体の吹出口に遮蔽板を設けることにより吹出口の開口寸法を自由に変化させたりすることで、空気調和機の据付工事において、色々な長さや形態の接続ダクトに合わせて吹出口の開口面積を変えて調整することで、どのような据付状態においても一定した風速を確保することができ、快適な空気調和のできる空気調和機の室内機を提供することを目的とする。
【課題を解決するための手段】
【０００６】
前記従来の課題を解決するために、本発明の空気調和機の室内機は、天井裏空間に埋め込み設置される空気調和機本体内部を仕切板にて、熱交換器が収納された熱交換室と、ファンケ−シング及び送風機が収納された送風室とに区画し、熱交換器室側に吹出口と送風室側に吸込口が設けられ、前記吹出口及び吸込口にはそれぞれ着脱可能なダクト接続フランジを有し、前記吹出口側に接続されたダクト接続フランジは、上下の横桟と左右の縦桟にて構成され、吹出口の開口寸法を自由に変化させることができ、空気調和機の据付工事において、色々な長さや形態の接続ダクトに合わせて吹出口の開口面積を変えることで一定した風速を確保することができる。
【発明の効果】
【０００７】
本発明の空気調和機の室内機は、空気調和機本体の吹出口側に接続されたダクト接続フランジを自在に移動させることが可能で、また空気調和機本体の吹出口に案内板を設ける
ことにより吹出口の開口寸法を自由に変化させることで空気調和機の据付工事において、色々な長さや形態の接続ダクトに合わせて吹出口の開口面積を変えることで一定した風速を確保することができ、快適な空気調和ができる。
【発明を実施するための最良の形態】
【０００８】
第１の発明は、天井裏空間に埋め込み設置される空気調和機本体内部を仕切板にて熱交換器が収納された熱交換室と、ファンケ−シング及び送風機が収納された送風室に区画し、これら熱交換器室側に吹出口と送風室側に吸込口が設けられ、前記吹出口及び吸込口にはそれぞれ着脱可能なダクト接続フランジを有している。前記吹出口側に接続されたダクト接続フランジは、上下の横桟と左右の縦桟にて構成され、吹出口の開口寸法を自由に変化させることができ、空気調和機の据付工事において、色々な長さや形態の接続ダクトに合わせて吹出口の開口面積を変えることで一定した風速を確保することができる。
【０００９】
第２の発明は、特に、第１の発明の空気調和機の室外機において、空気調和機本体の吹出口側に接続されたダクト接続フランジを自在に移動させることが可能なため、吹出口の開口寸法を自由に変化させることができ、空気調和機の据付工事において、色々な長さや形態の接続ダクトに合わせて吹出口の開口面積を変えることで一定した風速を確保することができる。
【００１０】
第３の発明は、特に、第１の発明の空気調和機の室外機において、前記吹出口の開口部端面の左右側それぞれに案内溝を設け、前記案内溝の内側に挿入され、さらに前記開口部の本体上方側に位置しところで、上下方向に自在に移動させること可能な遮蔽板を設けることにより前記開口部の上側の開口寸法を自由に変化させることにより吹出口の開口寸法を自由に変化させることで、空気調和機の据付工事時、色々な長さや形態の接続ダクトに合わせて吹出口の開口面積を変えることで一定した風速を確保することができる。
【００１１】
第４の発明は、特に、第１の発明の空気調和機の室外機において、前記吹出口の開口部端面の左右側それぞれに案内溝を設け、前記案内溝の内側に挿入され、さらに前記開口部の本体下方側に位置しところで、上下方向に自在に移動させること可能な遮蔽板を設けることにより前記開口部の下側の開口寸法を自由に変化させることで、空気調和機の据付工事時、色々な長さや形態の接続ダクトに合わせて吹出口の開口面積を変えることで一定した風速を確保することができるとともに前記ファンケ−シング及び送風機の吹出口を塞がないため上方向に遮蔽板を設けるよりも吹出す風の影響を受けにくいため吹出しの騒音低減も図ることができる。
【００１２】
第５の発明は、特に、第１の発明の空気調和機の室外機において、前記吹出口側に設けられた、ダクト接続フランジの上側の横桟に任意の位置で固定でき前記ダクト接続フランジ先端部を中心として回転可能な遮蔽板を設け前記開口部の上側の開口寸法を自由に変化させることにより空気調和機の据付工事時、色々な長さや形態の接続ダクトに合わせて吹出口の開口面積を変えることで一定した風速を確保することができる。
【００１３】
第６の発明は、前記吹出口側に設けられた、ダクト接続フランジの上側の横桟に任意の位置で固定でき前記ダクト接続フランジ先端部を中心として回転可能な遮蔽板を設け前記開口部の上側の開口寸法を自由に変化させることにより空気調和機の据付工事時、色々な長さや形態の接続ダクトに合わせて吹出口の開口面積を変えることで一定した風速を確保することができるとともに前記ファンケ−シング及び送風機の吹出口を塞がないため上方向に遮蔽板を設けるよりも吹出す風の影響を受けにくいため吹出しの騒音が上昇してしまうことを抑制することができる。
【００１４】
以下、本発明の実施の形態について、図面を参照しながら説明する。なお、この実施の
形態によって本発明が限定されるものではない。
【００１５】
（実施の形態１）
図１は、本発明の第１の実施の形態における空気調和機の室内機の断面図を図示したものである。また、図２は本室内機のダクト接続部とダクト接続フランジの部分詳細断面図を示すものである。また、図３は本室内機のダクト接続フランジの部分斜視図を示したものである。
【００１６】
図１から図３において、本空気調和機の室内機は、空気調和機本体１内部を仕切板２にて熱交換器３が収納された熱交換室４と、ファンケ−シング５及び送風機６が収納された送風室７とに区画し、熱交換器室４側に吹出口８と送風室７側に吸込口９が設けられ、吹出口８及び吸込口９にはそれぞれ着脱可能で複数個のネジ１０で固定されたダクト接続フランジ１１を有している。吹出口８側に接続されたダクト接続フランジ１１は、上側横桟１１ａと下側横桟１１ｂと左側縦桟１１ｃと右側縦桟１１ｄ（図示せず）にて構成され、上下の横桟１１ａと横桟１１ｂは空気調和機本体１を吊下げた状態に対して上下方向に左右縦桟１１ｃ、１１ｄを基準にして自在に移動させることが可能で、吹出口８の開口寸法を自由に変化させることができるように構成されている。
【００１７】
以上のように構成された空気調和機について、以下その動作、作用を説明する。空気調和機本体１の吹出口８側に接続されたダクト接続フランジ１１の上下横桟１１ａ、１１ｂを上下に自在に移動させる。これにより、吹出口８の開口寸法を自由に変化させることで空気調和機本体１の据付工事において、色々な長さや形態の接続ダクト１２に合わせて吹出口８の開口面積を変えることで一定した風速を確保することができる。
【００１８】
（実施の形態２）
図４は、本発明の第２の実施の形態における空気調和機の室内機の断面図を図示したものである。また、図５は本室内機のダクト接続フランジの部分斜視図を示したものである。また、図６は本室内機のダクト接続部とダクト接続フランジの部分詳細断面図を示すものである。
【００１９】
図４から図６において、吹出口８の開口部端面の左右側に左案内溝８ａと右案内溝８ｂを設け、左右の案内溝８ａ、８ｂの内側に嵌合挿入され、さらに前記開口部は空気調和機本体１の据付時上方側に位置しところで、上下方向に自在に移動させること可能な上遮蔽板１３を設ける。これにより、吹出口８の開口部の上側の開口寸法を自由に変化させることにより吹出口８の開口寸法を自由に変化させることで、空気調和機本体１の据付工事時、色々な長さや形態の接続ダクト１２に合わせて吹出口８の開口面積を変えることでき一定した風速を確保することができる。
【００２０】
（実施の形態３）
図７は本発明の第３の実施の形態における空気調和機の室内機の断面図を図示したものである。また図８は本室内機のダクト接続フランジの部分斜視図を示したものである。また、図９は本室内機のダクト接続部とダクト接続フランジの部分詳細断面図を示すものである。
【００２１】
図７から図９において、吹出口８の開口部端面の左右側に左案内溝８ａと右案内溝８ｂを設け、左右の案内溝８ａ、８ｂの内側に嵌合挿入され、さらに前記開口部は空気調和機本体１の据付時上方側に位置しところで、上下方向に自在に移動させること可能な下遮蔽板１４を設ける。これにより、吹出口８の開口部の上側の開口寸法を自由に変化させることにより吹出口８の開口寸法を自由に変化させることで、空気調和機本体１の据付工事時、色々な長さや形態の接続ダクト１２に合わせて吹出口８の開口面積を変えることでき一
定した風速を確保することができるとともに前記ファンケ−シング５及び送風機６の吹出口８を塞がないため上方向に上遮蔽板１３を設けるよりも吹出す風の影響を受けにくいため吹出しの騒音低減も図ることができる。
【００２２】
（実施の形態４）
図１０は本発明の第４の実施の形態本室内機のダクト接続フランジの部分断面図を示したものである。また、図１１は本室内機のダクト接続フランジの部分斜視図を示すものである。
【００２３】
図１０から図１１において、吹出口側８に設けられた、ダクト接続フランジ１１の上側の横桟１１ａに任意の位置で固定できダクト接続フランジ１１先端部を中心として回転可能な上回転遮蔽板１５を設ける。これにより、開口部８の上側の開口寸法を自由に変化させることで、空気調和機本体１の据付工事時、色々な長さや形態の接続ダクト１２に合わせて吹出口８の開口面積を変えることでき一定した風速を確保することができる。
【００２４】
（実施の形態５）
図１２は本発明の第５の実施の形態における空気調和機の室内機の断面図を図示したものである。また、図１３は本室内機のダクト接続フランジの部分断面図を示したものである。また、図１４は本室内機のダクト接続フランジの部分斜視図を示すものである。
【００２５】
図１２から図１４において、吹出口８側に設けられた、ダクト接続フランジ１１の下側の横桟１１ｂに任意の位置で固定でき前記ダクト接続フランジ先端部を中心として回転可能な下回転遮蔽板１６を設ける。これにより、前記開口部の下側の開口寸法を自由に変化させることにより空気調和機１の据付工事時、色々な長さや形態の接続ダクト１２に合わせて吹出口の開口面積を変えることで一定した風速を確保することができる。また、下側を塞ぐ場合にはファンケ−シング５及び送風機６の吹出口を塞がないため、上方向に遮蔽板を設けるよりも吹出す風の影響を受けにくいため吹出しの騒音上昇の抑制を図ることができる。
【産業上の利用可能性】
【００２６】
以上のように、本発明の空気調和機の室内機は、空気調和機本体の吹出口側に接続されたダクト接続フランジを移動させ、吹出開口面積を自由に変化させることが可能にし、また空気調和機本体の吹出口に案内板を設けることにより空気調和機本体の吹出口開口寸法を自由に変化させることで空気調和機の据付工事時、色々な長さや形態の接続ダクトに合わせて吹出口の開口面積を変えることで一定した風速を確保することができる。また空気調和機本体の下側のみに遮蔽板を設けることによりファンケ−シング及び送風機の吹出口を塞がないため上方向に遮蔽板を設けるよりも吹出す風の影響を受けにくいため吹出しの騒音低減を図ることができることにより、天井吊型室内機等の用途にも適用できる。
【図面の簡単な説明】
【００２７】
【図１】本発明の実施の形態１における空気調和機の室内機の断面図
【図２】本発明の実施の形態１における本室内機のダクト接続部とダクト接続フランジの部分詳細断面図
【図３】本発明の実施の形態１における本室内機のダクト接続フランジの部分斜視図
【図４】本発明の実施の形態２における空気調和機の室内機の断面図
【図５】本発明の実施の形態２における本室内機のダクト接続フランジの部分斜視図
【図６】本発明の実施の形態２における本室内機のダクト接続部とダクト接続フランジの部分詳細断面図
【図７】本発明の実施の形態３における空気調和機の室内機の断面図
【図８】本発明の実施の形態３における本室内機のダクト接続フランジの部分斜視図
【図９】本発明の実施の形態３における本室内機のダクト接続部とダクト接続フランジの部分詳細断面図
【図１０】本発明の実施の形態４における本室内機のダクト接続部とダクト接続フランジの部分詳細断面図
【図１１】本発明の実施の形態４における本室内機のダクト接続フランジの部分斜視図
【図１２】本発明の実施の形態５における空気調和機の室内機の断面図
【図１３】本発明の実施の形態５における本室内機のダクト接続部とダクト接続フランジの部分詳細断面図
【図１４】本発明の実施の形態５における本室内機のダクト接続フランジの部分斜視図
【図１５】従来の空気調和機の室内機断面図
【符号の説明】
【００２８】
１  空気調和機本体
２  仕切板
３  熱交換器
４  熱交換室
５  ファンケ−シング
６  送風機
７  送風室
８  吹出口
８ａ  左案内溝
８ｂ  右案内溝
９  吸込口
１０  ネジ
１１  ダクト接続フランジ
１１ａ  上側横桟
１１ｂ  下側横桟
１１ｃ  左側縦桟
１１ｄ  右側縦桟
１２  接続ダクト
１３  上遮蔽板
１４  下遮蔽板
１５  上回転遮蔽板
１６  下回転遮蔽板
【図１】
2008249287.tif 000003
【図２】
2008249287.tif 000004
【図３】
2008249287.tif 000005
【図４】
2008249287.tif 000006
【図５】
2008249287.tif 000007
【図６】
2008249287.tif 000008
【図７】
2008249287.tif 000009
【図８】
2008249287.tif 000010
【図９】
2008249287.tif 000011
【図１０】
2008249287.tif 000012
【図１１】
2008249287.tif 000013
【図１２】
2008249287.tif 000014
【図１３】
2008249287.tif 000015
【図１４】
2008249287.tif 000016
【図１５】
2008249287.tif 000017